(57)【特許請求の範囲】
【請求項１】
筐体と、
前記筐体に収容される第１釣銭機及び第２釣銭機と、
前記第１釣銭機が前記筐体から引き出されるように前記第１釣銭機を案内し、前記筐体に取り付けられた第１案内レールと、前記第１案内レールに沿って移動可能であり、前記第１釣銭機に取り付けられた第１移動レールと、を有する第１案内部と、
前記第２釣銭機が前記筐体から引き出されるように前記第２釣銭機を案内し、前記筐体に取り付けられた第２案内レールと、前記第２案内レールに沿って移動可能であり、前記第２釣銭機に取り付けられた第２移動レールと、を有する第２案内部と、
を備え、
前記第１案内レール及び前記第２案内レールは、共通の基材からなっている、精算機。
【請求項２】
請求項１に記載の精算機において、
前記筐体は、第１内側面及び前記第１内側面に対向する第２内側面を有し、
前記第１釣銭機は、第１側面及び前記第１側面とは反対側の第２側面を有し、
前記第２釣銭機は、第３側面及び前記第３側面とは反対側の第４側面を有し、
前記第１釣銭機は、前記第１側面が前記筐体の前記第１内側面に対向するように前記筐体に収容されており、
前記第２釣銭機は、前記第４側面が前記筐体の前記第２内側面に対向し、かつ前記第３側面が前記第１釣銭機の前記第２側面に対向するように前記筐体に収容されている精算機。
【請求項３】
請求項２に記載の精算機において、
前記筐体は、前記第１内側面と前記第２内側面の間の第１内面を有し、
前記第１釣銭機は、前記第１側面と前記第２側面の間にあって前記筐体の前記第１内面に対向する第１面を有し、
前記第２釣銭機は、前記第３側面と前記第４側面の間にあって前記筐体の前記第１内面に対向する第２面を有し、
前記第１案内部は、前記第１釣銭機の前記第１面と前記筐体の前記第１内面の間にあり、
前記第２案内部は、前記第２釣銭機の前記第２面と前記筐体の前記第１内面の間にある精算機。
【請求項４】
請求項３に記載の精算機において、
前記筐体の前記第１内面は、上方を向いており、
前記第１釣銭機の前記第１面及び前記第２釣銭機の前記第２面は、下方を向いている精算機。
【請求項５】
請求項３に記載の精算機において、
前記筐体の前記第１内面は、下方を向いており、
前記第１釣銭機の前記第１面及び前記第２釣銭機の前記第２面は、上方を向いている精算機。
【請求項６】
請求項２に記載の精算機において、
前記第１案内部及び前記第２案内部は、前記第１釣銭機の前記第２側面と前記第２釣銭機の前記第３側面の間にある精算機。
【請求項７】
請求項２〜６のいずれか一項に記載の精算機において、
前記第１釣銭機の前記第１側面と前記筐体の前記第１内側面の間にあり、前記第１釣銭機が前記筐体から引き出されるように前記第１釣銭機を案内する第３案内部と、
前記第２釣銭機の前記第４側面と前記筐体の前記第２内側面の間にあり、前記第２釣銭機が前記筐体から引き出されるように前記第２釣銭機を案内する第４案内部と、
を備える精算機。
【請求項８】
第１内側面と、前記第１内側面に対向する第２内側面と、前記第１内側面と前記第２内側面の間の第１内面と、を有する筐体と、
第１側面と、前記第１側面とは反対側の第２側面と、前記第１側面と前記第２側面の間の第１面と、を有し、前記第１側面が前記筐体の前記第１内側面に対向し、かつ前記第１面が前記筐体の前記第１内面に対向するように、前記筐体に収容される第１釣銭機と、
第３側面と、前記第３側面とは反対側の第４側面と、前記第３側面と前記第４側面の間の第２面と、を有し、前記第４側面が前記筐体の前記第２内側面に対向し、前記第３側面が前記第１釣銭機の前記第２側面に対向し、かつ前記第２面が前記筐体の前記第１内面に対向するように、前記筐体に収容される第２釣銭機と、
前記第１釣銭機の前記第１面と前記筐体の前記第１内面の間にあり、前記第１釣銭機が前記筐体から引き出されるように前記第１釣銭機を案内する第１案内部と、
前記第２釣銭機の前記第２面と前記筐体の前記第１内面の間にあり、前記第２釣銭機が前記筐体から引き出されるように前記第２釣銭機を案内する第２案内部と、
前記第１釣銭機の前記第１側面と前記筐体の前記第１内側面の間にあり、前記第１釣銭機が前記筐体から引き出されるように前記第１釣銭機を案内する第３案内部と、
前記第２釣銭機の前記第４側面と前記筐体の前記第２内側面の間にあり、前記第２釣銭機が前記筐体から引き出されるように前記第２釣銭機を案内する第４案内部と、
を備える精算機。
【請求項９】
請求項８に記載の精算機において、
前記筐体の前記第１内面は、上方を向いており、
前記第１釣銭機の前記第１面及び前記第２釣銭機の前記第２面は、下方を向いている精算機。
【請求項１０】
請求項８に記載の精算機において、
前記筐体の前記第１内面は、下方を向いており、
前記第１釣銭機の前記第１面及び前記第２釣銭機の前記第２面は、上方を向いている精算機。
【請求項１１】
第１内側面と、前記第１内側面に対向する第２内側面と、を有する筐体と、
第１側面と、前記第１側面とは反対側の第２側面と、を有し、前記第１側面が前記筐体の前記第１内側面に対向するように、前記筐体に収容される第１釣銭機と、
第３側面と、前記第３側面とは反対側の第４側面と、を有し、前記第４側面が前記筐体の前記第２内側面に対向し、前記第３側面が前記第１釣銭機の前記第２側面に対向するように、前記筐体に収容される第２釣銭機と、
前記第１釣銭機の前記第２側面と前記第２釣銭機の前記第３側面の間にあり、前記第１釣銭機が前記筐体から引き出されるように前記第１釣銭機を案内する第１案内部と、
前記第１釣銭機の前記第２側面と前記第２釣銭機の前記第３側面の間にあり、前記第２釣銭機が前記筐体から引き出されるように前記第２釣銭機を案内する第２案内部と、
前記第１釣銭機の前記第１側面と前記筐体の前記第１内側面の間にあり、前記第１釣銭機が前記筐体から引き出されるように前記第１釣銭機を案内する第３案内部と、
前記第２釣銭機の前記第４側面と前記筐体の前記第２内側面の間にあり、前記第２釣銭機が前記筐体から引き出されるように前記第２釣銭機を案内する第４案内部と、
を備える精算機。
【請求項１２】
請求項８〜１１のいずれか一項に記載の精算機において、
前記第１案内部は、第１案内レール及び前記第１案内レールに沿って移動可能な第１移動レールを有し、
前記第２案内部は、第２案内レール及び前記第２案内レールに沿って移動可能な第２移動レールを有し、
を備え、
前記第１案内レールは、前記筐体に取り付けられており、
前記第１移動レールは、前記第１釣銭機に取り付けられており、
前記第２案内レールは、前記筐体に取り付けられており、
前記第２移動レールは、前記第２釣銭機に取り付けられている精算機。
【発明の詳細な説明】
【技術分野】
【０００１】
本発明は、精算機に関する。
【背景技術】
【０００２】
商品の精算処理の効率化のため、例えば特許文献１〜４に記載されているように、精算機が用いられることがある。このような精算機は、硬貨釣銭機及び紙幣釣銭機を有することがある。硬貨釣銭機は、外部からの硬貨を収受し、収受した硬貨を収容する。必要に応じて（例えば、お釣りを払い出す場合）、硬貨釣銭機は、収容した硬貨を外部に払い出す。紙幣釣銭機は、外部からの紙幣を収受し、収受した紙幣を収容する。必要に応じて（例えば、お釣りを払い出す場合）、紙幣釣銭機は、収容した紙幣を外部に払い出す。
【０００３】
特許文献１に記載の精算機は、第１筐体、第２筐体、硬貨釣銭機及び紙幣釣銭機を備えている。硬貨釣銭機は、第１筐体に収容されている。紙幣釣銭機は、第２筐体に収容されている。硬貨釣銭機は、第１筐体から引き出し可能になっている。紙幣釣銭機は、第２筐体から引き出し可能になっている。第１筐体と第２筐体は、硬貨釣銭機と紙幣釣銭機が同じ方向に引き出し可能になるように並んでいる。
【先行技術文献】
【特許文献】
【０００４】
【特許文献１】特開２０１５−１６２１２１号公報
【特許文献２】特開２０１０−２６７３００号公報
【特許文献３】米国特許出願公開第２００２／００３０１０１号明細書
【特許文献４】欧州特許出願公開第２７４７０１８号明細書
【発明の概要】
【発明が解決しようとする課題】
【０００５】
上記した特許文献１に記載されているように、一部の精算機では、第１釣銭機（例えば、硬貨釣銭機）を第１筐体に収容し、第２釣銭機（例えば、紙幣釣銭機）を第２筐体に収容することがある。これに対して、本発明者は、第１釣銭機及び第２釣銭機の双方を１つの筐体に収容することを検討した。さらに、本発明者は、第１釣銭機及び第２釣銭機の双方を１つの筐体に収容しても、第１釣銭機及び第２釣銭機を互いに独立して筐体から引き出し可能にすることを検討した。
【０００６】
本発明の目的は、第１釣銭機及び第２釣銭機の双方を１つの筐体に収容しても、第１釣銭機及び第２釣銭機を互いに独立して筐体から引き出し可能にすることにある。
【課題を解決するための手段】
【０００７】
本発明によれば、
筐体と、
前記筐体に収容される第１釣銭機及び第２釣銭機と、
前記第１釣銭機が前記筐体から引き出されるように前記第１釣銭機を案内し、前記筐体に取り付けられた第１案内レールと、前記第１案内レールに沿って移動可能であり、前記第１釣銭機に取り付けられた第１移動レールと、を有する第１案内部と、
前記第２釣銭機が前記筐体から引き出されるように前記第２釣銭機を案内し、前記筐体に取り付けられた第２案内レールと、前記第２案内レールに沿って移動可能であり、前記第２釣銭機に取り付けられた第２移動レールと、を有する第２案内部と、
を備え、
前記第１案内レール及び前記第２案内レールは、共通の基材からなっている、精算機が提供される。
本発明によれば、
第１内側面と、前記第１内側面に対向する第２内側面と、前記第１内側面と前記第２内側面の間の第１内面と、を有する筐体と、
第１側面と、前記第１側面とは反対側の第２側面と、前記第１側面と前記第２側面の間の第１面と、を有し、前記第１側面が前記筐体の前記第１内側面に対向し、かつ前記第１面が前記筐体の前記第１内面に対向するように、前記筐体に収容される第１釣銭機と、
第３側面と、前記第３側面とは反対側の第４側面と、前記第３側面と前記第４側面の間の第２面と、を有し、前記第４側面が前記筐体の前記第２内側面に対向し、前記第３側面が前記第１釣銭機の前記第２側面に対向し、かつ前記第２面が前記筐体の前記第１内面に対向するように、前記筐体に収容される第２釣銭機と、
前記第１釣銭機の前記第１面と前記筐体の前記第１内面の間にあり、前記第１釣銭機が前記筐体から引き出されるように前記第１釣銭機を案内する第１案内部と、
前記第２釣銭機の前記第２面と前記筐体の前記第１内面の間にあり、前記第２釣銭機が前記筐体から引き出されるように前記第２釣銭機を案内する第２案内部と、
前記第１釣銭機の前記第１側面と前記筐体の前記第１内側面の間にあり、前記第１釣銭機が前記筐体から引き出されるように前記第１釣銭機を案内する第３案内部と、
前記第２釣銭機の前記第４側面と前記筐体の前記第２内側面の間にあり、前記第２釣銭機が前記筐体から引き出されるように前記第２釣銭機を案内する第４案内部と、
を備える精算機が提供される。
本発明によれば、
第１内側面と、前記第１内側面に対向する第２内側面と、を有する筐体と、
第１側面と、前記第１側面とは反対側の第２側面と、を有し、前記第１側面が前記筐体の前記第１内側面に対向するように、前記筐体に収容される第１釣銭機と、
第３側面と、前記第３側面とは反対側の第４側面と、を有し、前記第４側面が前記筐体の前記第２内側面に対向し、前記第３側面が前記第１釣銭機の前記第２側面に対向するように、前記筐体に収容される第２釣銭機と、
前記第１釣銭機の前記第２側面と前記第２釣銭機の前記第３側面の間にあり、前記第１釣銭機が前記筐体から引き出されるように前記第１釣銭機を案内する第１案内部と、
前記第１釣銭機の前記第２側面と前記第２釣銭機の前記第３側面の間にあり、前記第２釣銭機が前記筐体から引き出されるように前記第２釣銭機を案内する第２案内部と、
前記第１釣銭機の前記第１側面と前記筐体の前記第１内側面の間にあり、前記第１釣銭機が前記筐体から引き出されるように前記第１釣銭機を案内する第３案内部と、
前記第２釣銭機の前記第４側面と前記筐体の前記第２内側面の間にあり、前記第２釣銭機が前記筐体から引き出されるように前記第２釣銭機を案内する第４案内部と、
を備える精算機が提供される。
【発明の効果】
【０００８】
本発明によれば、第１釣銭機及び第２釣銭機の双方を１つの筐体に収容しても、第１釣銭機及び第２釣銭機を互いに独立して筐体から引き出し可能にする。
【図面の簡単な説明】
【０００９】
【図１】第１の実施形態に係る精算機を前方から見た斜視図である。
【図２】図１に示した精算機を後方から見た斜視図である。
【図３】図１からカバーを取り除いた図である。
【図４】図２からカバーを取り除いた図である。
【図５】枠体（筐体）から硬貨釣銭機が引き出された状態の精算機を示す図である。
【図６】枠体（筐体）から紙幣釣銭機が引き出された状態の精算機を示す図である。
【図７】図１のＡ−Ａ´断面図である。
【図８】図７の第１の変形例を示す図である。
【図９】図７の第２の変形例を示す図である。
【図１０】第２の実施形態に係る精算機を説明するための図である。
【図１１】第２の実施形態に係る精算機を説明するための図である。
【図１２】第２の実施形態に係る精算機を示す断面図である。
【図１３】図１２の第１の変形例を示す図である。
【図１４】図１２の第２の変形例を示す図である。
【図１５】第３の実施形態に係る精算機を説明するための図である。
【図１６】第３の実施形態に係る精算機を説明するための図である。
【図１７】第３の実施形態に係る精算機を示す断面図である。
【図１８】図１７の第１の変形例を示す図である。
【図１９】図１７の第２の変形例を示す図である。
【図２０】図１７の第３の変形例を示す図である。
【図２１】第４の実施形態に係る精算装置を説明するための図である。
【発明を実施するための形態】
【００１０】
以下、本発明の実施の形態について、図面を用いて説明する。尚、すべての図面において、同様な構成要素には同様の符号を付し、適宜説明を省略する。
【００１１】
（第１の実施形態）
図１は、第１の実施形態に係る精算機１０を前方から見た斜視図である。図２は、図１に示した精算機１０を後方から見た斜視図である。図３は、図１からカバー１０４を取り除いた図である。図４は、図２からカバー１０４を取り除いた図である。図５は、枠体１０２（筐体１００）から硬貨釣銭機２００が引き出された状態の精算機１０を示す図である。図６は、枠体１０２（筐体１００）から紙幣釣銭機３００が引き出された状態の精算機１０を示す図である。図７は、図１のＡ−Ａ´断面図である。
【００１２】
図１〜図７に示すように、精算機１０は、筐体１００、硬貨釣銭機２００（第１釣銭機）、紙幣釣銭機３００（第２釣銭機）、第１案内部４１０及び第２案内部４２０を備えている。図７に示すように、筐体１００は、内側面１１２（第１内側面）及び内側面１１４（第２内側面）を有している。内側面１１４は、内側面１１２に対向している。硬貨釣銭機２００は、側面２２２（第１側面）及び側面２２４（第２側面）を有している。側面２２４は、側面２２２とは反対側にある。硬貨釣銭機２００は、側面２２２が筐体１００の内側面１１２に対向するように筐体１００に収容されている。紙幣釣銭機３００は、側面３２２（第３側面）及び側面３２４（第４側面）を有している。側面３２４は、側面３２２とは反対側にある。紙幣釣銭機３００は、側面３２４が筐体１００の内側面１１４に対向し、かつ側面３２２が硬貨釣銭機２００の側面２２４に対向するように筐体１００に収容されている。第１案内部４１０は、内側面１１２と内側面１１４の間にあって内側面１１２から離れて位置している。図５に示すように、第１案内部４１０は、硬貨釣銭機２００が筐体１００（枠体１０２）から引き出されるように硬貨釣銭機２００を案内する。第２案内部４２０は、内側面１１２と内側面１１４の間にあって内側面１１４から離れて位置している。図６に示すように、第２案内部４２０は、紙幣釣銭機３００が筐体１００（枠体１０２）から引き出されるように紙幣釣銭機３００を案内する。以下、詳細に説明する。
【００１３】
図１〜図７に示すように、精算機１０は、筐体１００、硬貨釣銭機２００、紙幣釣銭機３００、第１案内部４１０、第２案内部４２０、第３案内部４３０、第４案内部４４０及び電源５００を備えている。なお、本実施形態において、硬貨釣銭機２００は、筐体を有していない。同様にして、紙幣釣銭機３００は、筐体を有していない。硬貨釣銭機２００及び紙幣釣銭機３００は、筐体１００に収容されている。
【００１４】
筐体１００は、枠体１０２及びカバー１０４を有している。図１〜図４に示すように、カバー１０４は、枠体１０２から取り外し可能である。枠体１０２及びカバー１０４は、例えば板金からなる。枠体１０２は、内側面１１２、内側面１１４及び内面１１８を有している。内側面１１２と内側面１１４は、互いに対向している。内面１１８は、上方を向いており、内側面１１２及び内側面１１４の間にある。カバー１０４は、内面１１６を有している。カバー１０４は、内面１１６が枠体１０２の内面１１８と対向するように枠体１０２を覆っている。
【００１５】
硬貨釣銭機２００は、収受部２１０及び収容部２２０を有している。収受部２１０は、開口２１２、開口２１４及び開口２１６を有している。収容部２２０は、側面２２２、側面２２４、上面２２６及び下面２２８を有している。図１及び図２に示すように、硬貨釣銭機２００は、収受部２１０が筐体１００から突出し、かつ収容部２２０が筐体１００の内側に位置するように筐体１００に収容されている。さらに、図５に示すように、硬貨釣銭機２００は、筐体１００（枠体１０２）から引き出すことができる。
【００１６】
収受部２１０は、開口２１２から硬貨を収受する。言い換えると、ユーザは、開口２１２から硬貨釣銭機２００に硬貨を投入することができる。開口２１２からの硬貨は、収容部２２０の内部に収容される。収容部２２０は、例えば、開口２１２からの硬貨を収容するための収容空間（不図示）及び開口２１２から収容空間へ硬貨を搬送するための搬送路（不図示）を有している。お釣りの硬貨は、収容部２２０の内部から開口２１４に払い出される。硬貨釣銭機２００に受け付けられなかった硬貨（例えば、変形した硬貨）は、収容部２２０の内部に収容されることなく、開口２１６から排出される。
【００１７】
紙幣釣銭機３００は、収受部３１０及び収容部３２０を有している。収受部３１０は、開口３１２を有している。収容部３２０は、側面３２２、側面３２４、上面３２６及び下面３２８を有している。図１及び図２に示すように、紙幣釣銭機３００は、収受部３１０が筐体１００から突出し、かつ収容部３２０が筐体１００の内側に位置するように筐体１００に収容されている。さらに、図６に示すように、紙幣釣銭機３００は、筐体１００（枠体１０２）から引き出すことができる。
【００１８】
収受部３１０は、開口３１２から紙幣を収受する。言い換えると、ユーザは、開口３１２から紙幣釣銭機３００に紙幣を投入することができる。開口３１２からの紙幣は、収容部３２０の内部に収容される。収容部３２０は、例えば、開口３１２からの紙幣を収容するための収容空間（不図示）及び開口３１２から収容空間へ紙幣を搬送するための搬送路（不図示）を有している。お釣りの紙幣は、収容部３２０の内部から開口３１２に払い出される。
【００１９】
第１案内部４１０は、スライドレールであり、具体的には、第１案内レール４１２、第１移動レール４１４及び第１転動体４１６を有している。第１案内レール４１２は、筐体１００の内面１１８に取り付けられており、筐体１００の後方から筐体１００の前方に向けて延伸している。第１移動レール４１４は、第１案内レール４１２に沿って移動可能になっている。第１移動レール４１４は、硬貨釣銭機２００（収容部２２０）の下面２２８に取り付けられている。第１転動体４１６は、第１案内レール４１２と第１移動レール４１４の間に位置している。具体的には、第１案内レール４１２に沿って複数の第１転動体４１６が並んでいる。第１移動レール４１４は、第１転動体４１６の回転によって、第１案内レール４１２に対して滑らかに移動することができる。
【００２０】
第２案内部４２０は、スライドレールであり、具体的には、第２案内レール４２２、第２移動レール４２４及び第２転動体４２６を有している。第２案内レール４２２は、筐体１００の内面１１８に取り付けられており、筐体１００の後方から筐体１００の前方に向けて延伸している。第２移動レール４２４は、第２案内レール４２２に沿って移動可能になっている。第２移動レール４２４は、紙幣釣銭機３００（収容部３２０）の下面３２８に取り付けられている。第２転動体４２６は、第２案内レール４２２と第２移動レール４２４の間に位置している。具体的には、第２案内レール４２２に沿って複数の第２転動体４２６が並んでいる。第２移動レール４２４は、第２転動体４２６の回転によって、第１移動レール４１４に対して滑らかに移動することができる。
【００２１】
第３案内部４３０は、スライドレールであり、具体的には、第３案内レール４３２、第３移動レール４３４及び第３転動体４３６を有している。第３案内レール４３２は、筐体１００の内側面１１２に取り付けられており、筐体１００の後方から筐体１００の前方に向けて延伸している。第３移動レール４３４は、第３案内レール４３２に沿って移動可能になっている。第３移動レール４３４は、硬貨釣銭機２００（収容部２２０）の側面２２２に取り付けられている。第３転動体４３６は、第３案内レール４３２と第３移動レール４３４の間に位置している。具体的には、第３案内レール４３２に沿って複数の第３転動体４３６が並んでいる。第３移動レール４３４は、第３転動体４３６の回転によって、第３案内レール４３２に対して滑らかに移動することができる。
【００２２】
第４案内部４４０は、スライドレールであり、具体的には、第４案内レール４４２、第４移動レール４４４及び第４転動体４４６を有している。第４案内レール４４２は、筐体１００の内側面１１４に取り付けられており、筐体１００の後方から筐体１００の前方に向けて延伸している。第４移動レール４４４は、第４案内レール４４２に沿って移動可能になっている。第４移動レール４４４は、紙幣釣銭機３００（収容部３２０）の側面３２４に取り付けられている。第４転動体４４６は、第４案内レール４４２と第４移動レール４４４の間に位置している。具体的には、第４案内レール４４２に沿って複数の第４転動体４４６が並んでいる。第４移動レール４４４は、第４転動体４４６の回転によって、第４案内レール４４２に対して滑らかに移動することができる。
【００２３】
第１案内部４１０及び第３案内部４３０は、硬貨釣銭機２００が筐体１００から引き出されるように硬貨釣銭機２００を案内している。第１案内部４１０及び第３案内部４３０は、互いに平行に並んでいる。第３案内部４３０は、筐体１００の内側面１１２と硬貨釣銭機２００（収容部２２０）の側面２２２の間に位置している。第１案内部４１０は、第３案内部４３０よりも筐体１００の内側面１１２から離れて位置している。第１案内部４１０は、筐体１００の内面１１８（第１内面）と硬貨釣銭機２００の下面２２８（第１面）の間に位置している。図７に示す例では、第１案内部４１０は、硬貨釣銭機２００の側面２２２よりも硬貨釣銭機２００の側面２２４の近くにある。より詳細には、第１案内部４１０と第３案内部４３０は、硬貨釣銭機２００の中心を挟んで互いに反対側にある。これにより、硬貨釣銭機２００は、安定的に支持される。
【００２４】
第２案内部４２０及び第４案内部４４０は、紙幣釣銭機３００が筐体１００から引き出されるように紙幣釣銭機３００を案内している。第２案内部４２０及び第４案内部４４０は、互いに平行に並んでいる。第４案内部４４０は、筐体１００の内側面１１４と紙幣釣銭機３００（収容部３２０）の側面３２４の間に位置している。第２案内部４２０は、第４案内部４４０よりも筐体１００の内側面１１４から離れて位置している。第２案内部４２０は、筐体１００の内面１１８（第１内面）と紙幣釣銭機３００の下面３２８（第２面）の間に位置している。図７に示す例では、第２案内部４２０は、紙幣釣銭機３００の側面３２４よりも紙幣釣銭機３００の側面３２２の近くにある。より詳細には、第２案内部４２０と第４案内部４４０は、紙幣釣銭機３００の中心を挟んで互いに反対側にある。これにより、紙幣釣銭機３００は、安定的に支持される。
【００２５】
硬貨釣銭機２００は、図５に示すように枠体１０２（筐体１００）から引き出された後は、図１に示すように筐体１００に押し込むことができる。この場合も、硬貨釣銭機２００は、第１案内部４１０及び第３案内部４３０によって案内される。同様にして、紙幣釣銭機３００は、図６に示すように枠体１０２（筐体１００）から引き出された後は、図１に示すように筐体１００に押し込むことができる。この場合も、紙幣釣銭機３００は、第２案内部４２０及び第４案内部４４０によって案内される。
【００２６】
なお、第３案内部４３０は、例えば、筐体１００の内面１１８と硬貨釣銭機２００（収容部２２０）の下面２２８の間又は筐体１００の内面１１６と硬貨釣銭機２００（収容部２２０）の上面２２６の間にあってもよい。この場合、第３案内部４３０は、例えば、硬貨釣銭機２００の側面２２４よりも硬貨釣銭機２００の側面２２２の近くにある。同様にして、第４案内部４４０は、例えば、筐体１００の内面１１８と紙幣釣銭機３００（収容部３２０）の下面３２８の間又は筐体１００の内面１１６と紙幣釣銭機３００（収容部３２０）の上面３２６の間にあってもよい。この場合、第４案内部４４０は、例えば、紙幣釣銭機３００の側面３２２よりも紙幣釣銭機３００の側面３２４の近くにある。
【００２７】
電源５００は、枠体１０２の内部に収容されている。図３及び図４に示す例では、電源５００は、硬貨釣銭機２００の後方に位置している。電源５００は、配線を介して硬貨釣銭機２００に電力を供給し、配線を介して紙幣釣銭機３００に電力を供給する。図４に示すように、筐体１００（枠体１０２）は、電源５００の背後に開口１２２及び開口１２４を有している。開口１２２には、電源線（例えば３ピン電源ケーブル）の一端が差し込まれる。電源５００は、電源線を介して外部から電力を受給する。開口１２４には、信号線（例えばＶＧＡケーブル）の一端が差し込まれる。電源５００は、信号線を介して外部から信号を受信し、信号線を介して外部に信号を送信する。
【００２８】
図８は、図７の第１の変形例を示す図である。本図に示す例では、筐体１００の内面１１８に基材４５０が取り付けられている。基材４５０は、例えばステンレス鋼である。第１案内レール４１２は基材４５０の一部であり、第２案内レール４２２は、基材４５０の他の一部である。言い換えると、本図に示す例では、第１案内レール４１２及び第２案内レール４２２は、共通の基材（基材４５０）からなる。
【００２９】
図９は、図７の第２の変形例を示す図である。本図に示すように、第１移動レール４１４、第２移動レール４２４、第３移動レール４３４及び第４移動レール４４４が筐体１００に取り付けられていてもよい。この場合、本図に示すように、第１案内レール４１２及び第３案内レール４３２は、硬貨釣銭機２００に取り付けられ、第２案内レール４２２及び第４案内レール４４２は、紙幣釣銭機３００に取り付けられる。
【００３０】
以上、本実施形態によれば、硬貨釣銭機２００には第１案内部４１０が取り付けられ、紙幣釣銭機３００には第２案内部４２０が取り付けられている。このため、硬貨釣銭機２００と紙幣釣銭機３００互いに独立して筐体１００から引き出すことができる。
【００３１】
さらに、本実施形態によれば、第１案内部４１０及び第２案内部４２０は、筐体１００の内面１１８に取り付けられている。このため、第１案内部４１０及び第２案内部４２０を取り付けるための部材（例えば、第１案内部４１０と第２案内部４２０を互いに隔てるための隔壁）を第１案内部４１０と第２案内部４２０の間に設ける必要がない。言い換えると、第１案内部４１０と第２案内部４２０を設けても、精算機１０の幅が広くなることを防止することができる。
【００３２】
（第２の実施形態）
図１０及び図１１は、第２の実施形態に係る精算機１０を説明するための図であり、第１の実施形態の図５及び図６にそれぞれ対応する。図１２は、第２の実施形態に係る精算機１０を示す断面図であり、第１の実施形態の図７に対応する。本実施形態に係る精算機１０は、以下の点を除いて、第１の実施形態に係る精算機１０と同様である。
【００３３】
本実施形態では、第１案内部４１０は、筐体１００の内面１１６（第１内面）と硬貨釣銭機２００（収容部２２０）の上面２２６（第１面）の間に位置し、第２案内部４２０は、筐体１００の内面１１６（第１内面）と紙幣釣銭機３００（収容部３２０）の上面３２６（第２面）の間に位置している。具体的には、第１案内部４１０の第１案内レール４１２は、筐体１００の内面１１６に取り付けられている。第１案内部４１０の第１移動レール４１４は、硬貨釣銭機２００（収容部２２０）の上面２２６に取り付けられている。第２案内部４２０の第２案内レール４２２は、筐体１００の内面１１６に取り付けられている。第２案内部４２０の第２移動レール４２４は、紙幣釣銭機３００（収容部３２０）の上面３２６に取り付けられている。
【００３４】
図１３は、図１２の第１の変形例を示す図である。本図に示すように、第１案内レール４１２及び第２案内レール４２２は、共通の基材（基材４５０）からなってもよい。基材４５０は、筐体１００の内面１１６に取り付けられている。
【００３５】
図１４は、図１２の第２の変形例を示す図である。本図に示すように、第１移動レール４１４、第２移動レール４２４、第３移動レール４３４及び第４移動レール４４４が筐体１００に取り付けられていてもよい。この場合、本図に示すように、第１案内レール４１２及び第３案内レール４３２は、硬貨釣銭機２００に取り付けられ、第２案内レール４２２及び第４案内レール４４２は、紙幣釣銭機３００に取り付けられる。
【００３６】
本実施形態によれば、第１の実施形態と同様にして、硬貨釣銭機２００及び紙幣釣銭機３００を互いに独立して筐体１００から引き出すことができる。さらに、本実施形態によれば、第１の実施形態と同様にして、第１案内部４１０及び第２案内部４２０を取り付けるための部材（例えば、第１案内部４１０と第２案内部４２０を互いに隔てるための隔壁）を第１案内部４１０と第２案内部４２０の間に設ける必要がない。
【００３７】
（第３の実施形態）
図１５及び図１６は、第３の実施形態に係る精算機１０を説明するための図であり、第１の実施形態の図５及び図６にそれぞれ対応する。図１７は、第３の実施形態に係る精算機１０を示す断面図であり、第１の実施形態の図７に対応する。本実施形態に係る精算機１０は、以下の点を除いて、第１の実施形態に係る精算機１０と同様である。
【００３８】
本実施形態では、第１案内部４１０及び第２案内部４２０は、硬貨釣銭機２００（収容部２２０）の側面２２４と紙幣釣銭機３００（収容部３２０）の側面３２２の間にある。具体的には、第１案内部４１０の第１案内レール４１２と第２案内部４２０の第２案内レール４２２は、例えば接着剤を介して互いに接合している。第１案内部４１０の第１移動レール４１４は、硬貨釣銭機２００（収容部２２０）の側面２２４に取り付けられている。第２案内部４２０の第２移動レール４２４は、紙幣釣銭機３００（収容部３２０）の側面３２２に取り付けられている。
【００３９】
なお、第１案内レール４１２及び第２案内レール４２２は、筐体１００に取り付けられている。例えば、第１案内レール４１２及び第２案内レール４２２は、支持部材（不図示）によって筐体１００の内面１１８に固定されている。
【００４０】
図１８は、図１７の第１の変形例を示す図である。本図に示すように、第１案内レール４１２及び第２案内レール４２２は、共通の基材（基材４５０）からなってもよい。第１移動レール４１４と第２移動レール４２４は、基材４５０を挟んで互いに対向している。
【００４１】
図１９は、図１７の第２の変形例を示す図である。本図に示すように、第１移動レール４１４、第２移動レール４２４、第３移動レール４３４及び第４移動レール４４４が筐体１００に取り付けられていてもよい。この場合、本図に示すように、第１移動レール４１４と第２移動レール４２４は、互いに接合し、第３案内レール４３２及び第４案内レール４４２は、筐体１００に取り付けられる。
【００４２】
図２０は、図１７の第３の変形例を示す図である。本図に示すように、第１移動レール４１４及び第２移動レール４２４は、共通の基材（基材４６０）からなってもよい。第１案内レール４１２と第２案内レール４２２は、基材４６０を挟んで互いに対向している。
【００４３】
本実施形態によれば、第１の実施形態と同様にして、硬貨釣銭機２００及び紙幣釣銭機３００を互いに独立して筐体１００から引き出すことができる。
【００４４】
（第４の実施形態）
図２１は、第４の実施形態に係る精算装置を説明するための図である。精算装置は、精算機１０及び台２０を備えている。本実施形態に係る精算機１０は、第１の実施形態〜第３の実施形態のいずれかに係る精算機１０である。
【００４５】
台２０は、複数の開口２２を有している。精算機１０は、収受部２１０及び収受部３１０が開口２２から突出するように開口２２の内部に収容されている。複数の開口２２は、互いに異なる方向を向いている。さらに、複数の開口２２は、互いに異なる高さに位置している。このため、複数の精算機１０は、台２０に搭載されている場合、鉛直方向に沿って並ぶようになる。
【００４６】
本実施形態によれば、精算機１０が開口２２の内部に収容されている場合、硬貨釣銭機２００及び紙幣釣銭機３００を互いに独立して開口２２（筐体１００）から引き出すことができる。仮に、硬貨釣銭機２００及び紙幣釣銭機３００を互いに独立して開口２２（筐体１００）から引き出すことができないと、硬貨釣銭機２００及び紙幣釣銭機３００の一方のみを引き出す場合であっても、硬貨釣銭機２００及び紙幣釣銭機３００の双方を引き出す必要がある。この場合、開口２２前において精算機１０が占有するスペースが大きくなる。これに対して本実施形態では、硬貨釣銭機２００及び紙幣釣銭機３００の一方のみを引き出すことが可能である。このため、開口２２前において精算機１０が占有するスペースを小さくすることができる。
【００４７】
以上、図面を参照して本発明の実施形態について述べたが、これらは本発明の例示であり、上記以外の様々な構成を採用することもできる。
以下、参考形態の例を付記する。
１．  筐体と、
前記筐体に収容される第１釣銭機および第２釣銭機と、
前記第１釣銭機が前記筐体から引き出されるように前記第１釣銭機を案内する第１案内部と、
前記第２釣銭機が前記筐体から引き出されるように前記第２釣銭機を案内する第２案内部と、
を備える精算機。
２．  １．に記載の精算機において、
前記第１案内部および前記第２案内部は一体形成されている精算機。
３．  １．又は２．に記載の精算機において、
前記筐体は、第１内側面及び前記第１内側面に対向する第２内側面を有し、
前記第１釣銭機は、第１側面及び前記第１側面とは反対側の第２側面を有し、
前記第２釣銭機は、第３側面及び前記第３側面とは反対側の第４側面を有し、
前記第１釣銭機は、前記第１側面が前記筐体の前記第１内側面に対向するように前記筐体に収容されており、
前記第２釣銭機は、前記第４側面が前記筐体の前記第２内側面に対向し、かつ前記第３側面が前記第１釣銭機の前記第２側面に対向するように前記筐体に収容されている精算機。
４．  ３．に記載の精算機において、
前記筐体は、前記第１内側面と前記第２内側面の間の第１内面を有し、
前記第１釣銭機は、前記第１側面と前記第２側面の間にあって前記筐体の前記第１内面に対向する第１面を有し、
前記第２釣銭機は、前記第３側面と前記第４側面の間にあって前記筐体の前記第１内面に対向する第２面を有し、
前記第１案内部は、前記第１釣銭機の前記第１面と前記筐体の前記第１内面の間にあり、
前記第２案内部は、前記第２釣銭機の前記第２面と前記筐体の前記第１内面の間にある精算機。
５．  ４．に記載の精算機において、
前記筐体の前記第１内面は、上方を向いており、
前記第１釣銭機の前記第１面及び前記第２釣銭機の前記第２面は、下方を向いている精算機。
６．  ４．に記載の精算機において、
前記筐体の前記第１内面は、下方を向いており、
前記第１釣銭機の前記第１面及び前記第２釣銭機の前記第２面は、上方を向いている精算機。
７．  ３．に記載の精算機において、
前記第１案内部及び前記第２案内部は、前記第１釣銭機の前記第２側面と前記第２釣銭機の前記第３側面の間にある精算機。
８．  １．〜７．のいずれか一つに記載の精算機において、
前記第１案内部は、第１案内レール及び前記第１案内レールに沿って移動可能な第１移動レールを有し、
前記第２案内部は、第２案内レール及び前記第２案内レールに沿って移動可能な第２移動レールを有し、
を備え、
前記第１案内レールは、前記筐体に取り付けられており、
前記第１移動レールは、前記第１釣銭機または前記筐体に取り付けられており、
前記第２案内レールは、前記筐体に取り付けられており、
前記第２移動レールは、前記第２釣銭機または前記筐体に取り付けられている精算機。
９．  ３．〜７．のいずれか一つに記載の精算機において、
前記第１釣銭機の前記第１側面と前記筐体の前記第１内側面の間にあり、前記第１釣銭機が前記筐体から引き出されるように前記第１釣銭機を案内する第３案内部と、
前記第２釣銭機の前記第４側面と前記筐体の前記第２内側面の間にあり、前記第２釣銭機が前記筐体から引き出されるように前記第２釣銭機を案内する第４案内部と、
を備える精算機。
【符号の説明】
【００４８】
１０  精算機
２０  台
２２  開口
１００  筐体
１１２  内側面
１１４  内側面
１１６  内面
１１８  内面
２００  硬貨釣銭機
２１０  収受部
２２０  収容部
２２２  側面
２２４  側面
２２６  上面
３００  紙幣釣銭機
３１０  収受部
３２０  収容部
３２２  側面
３２４  側面
３２６  上面
４１０  第１案内部
４１２  第１案内レール
４１４  第１移動レール
４２０  第２案内部
４２２  第２案内レール
４２４  第２移動レール
４５０  基材
【図１】
0006686594.tif 000002
【図２】
0006686594.tif 000003
【図３】
0006686594.tif 000004
【図４】
0006686594.tif 000005
【図５】
0006686594.tif 000006
【図６】
0006686594.tif 000007
【図７】
0006686594.tif 000008
【図８】
0006686594.tif 000009
【図９】
0006686594.tif 000010
【図１０】
0006686594.tif 000011
【図１１】
0006686594.tif 000012
【図１２】
0006686594.tif 000013
【図１３】
0006686594.tif 000014
【図１４】
0006686594.tif 000015
【図１５】
0006686594.tif 000016
【図１６】
0006686594.tif 000017
【図１７】
0006686594.tif 000018
【図１８】
0006686594.tif 000019
【図１９】
0006686594.tif 000020
【図２０】
0006686594.tif 000021
【図２１】
0006686594.tif 000022